(57)【要約】【課題】車椅子を人力で持ち上げる場合、必要な人数が揃い難い。駅や階段等の車椅子用昇降機は高価である上、設置台数が少ない。【解決手段】間隔をあけて配置された２本の担ぎ棒が連結棒によって連結されて担ぎ体が形成され、担ぎ体に係止体が回動可能に取り付けられ、係止体に車椅子の車輪に係止可能な係止具が設けられ、夫々の担ぎ棒はその長手方向途中から屈曲して一端が他端に近接するように折り畳み可能である。連結棒はその長手方向途中から屈曲して２本の担ぎ棒同士が平行に近接するように折り畳み可能である。【選択図】      図１
2004215733.tif 000002
【特許請求の範囲】
【請求項１】
間隔をあけて配置された２本の担ぎ棒が連結棒によって連結されて担ぎ体が形成され、担ぎ体に係止体が回動可能に取り付けられ、係止体に車椅子の車輪に係止可能な係止具が設けられていることを特徴とする車椅子運搬具。
【請求項２】
夫々の担ぎ棒はその長手方向途中から屈曲して一端が他端に近接するように折り畳み可能であることを特徴とする請求項１記載の車椅子運搬具。
【請求項３】
連結棒はその長手方向途中から屈曲して２本の担ぎ棒同士が平行に近接するように折り畳み可能であることを特徴とする請求項１又は請求項２記載の車椅子運搬具。
【請求項４】
夫々の担ぎ棒は、端部同士が回動可能に連結された一組の長尺部材からなり、これら長尺部材には、一方又は双方の部材を回動させて両部材を一直線状に伸長させると突き合される突部が突設され、突き合された突部同士をこれが分離しないように固定すると両部材が伸長状態で固定されることを特徴とする請求項２又は請求項３記載の車椅子運搬具。
【請求項５】
突き合された突部同士に被せてこれら突部同士が分離しないように固定可能な固定具を備えていることを特徴とする請求項４記載の車椅子運搬具。
【請求項６】
連結棒は、他端同士が回動可能に連結された一組の短尺部材からなり、一方の部材の端部にはバックルが設けられ、他方の部材の端部には前記バックルが係止可能な係止受部が設けられ、一方又は双方の部材を回動させて両部材を一直線状に伸長させ、一方の部材のバックルを他方の部材の係止受部に係止固定すると、両部材が伸長状態で固定されることを特徴とする請求項３乃至請求項５のいずれかに記載の車椅子運搬具。
【請求項７】
係止体に係止具が車輪に係止された車椅子の背凭れフレームに係合・係合解除可能な係合具が設けられたことを特徴とする請求項１乃至請求項６のいずれかに記載の車椅子運搬具。
【発明の詳細な説明】
【０００１】
【発明の属する技術分野】
本発明は車椅子の走行に支障のある場所、例えば階段や段差のある場所で、人が座っている車椅子を人力で運搬するための車椅子運搬具に関するものである。
【０００２】
【従来の技術】
車椅子に人を座らせたままその車椅子を階段の上に運んだり、階段の下に運んだり、段差を乗り越えさせたりする場合、数人ががりで車椅子を持ち上げたり、電動式の昇降装置（例えば、特許文献１及び２）を利用したりしている。
【０００３】
【特許文献１】
特開平６−２８５１１６号公報
【０００４】
【特許文献２】
実開昭６２−５６０２６号公報
【０００５】
【発明が解決しようとする課題】
人が乗った車椅子はかなり重たいため、人力で車椅子を持ち上げるには大人の男性が３〜４人必要となる。しかし、車椅子を持ち上げる必要のあるときに必要な数の人員を集めることは意外と難しい。また、電動式の昇降装置は高価であるため必要な場所の全てに設置することはできない。さらに、電動式の昇降装置が設置されている場所でもその設置数には限りがあり、常に利用できるわけではない。
【０００６】
【課題を解決するための手段】
本発明の目的は、人が座っている車椅子を大人２人で手軽に運搬することができ、しかも運搬中に車椅子が常に水平に保持される車椅子運搬具を提供することにある。
【０００７】
本発明の車椅子運搬具の一つは、間隔をあけて配置された２本の担ぎ棒を連結棒によって連結して担ぎ体を形成し、その担ぎ体に係止体を回動可能に取り付け、係止体に車椅子の車輪に係止可能な係止具を設けたものである。
【０００８】
本発明の車椅子運搬具の一つは、夫々の担ぎ棒をその長手方向途中から屈曲して一端が他端に近接するように折り畳み可能としたものである。
【０００９】
本発明の車椅子運搬具の他の一つは、連結棒をその長手方向途中から屈曲して２本の担ぎ棒同士が近接するように折り畳み可能としたものである。
【００１０】
本発明の車椅子運搬具の他の一つは、夫々の担ぎ棒を端部同士が回動可能に連結された一組の長尺部材から構成し、これら長尺部材に、一方又は双方の部材を回動させて両部材を一直線状に伸長させると突き合される突部を突設し、突き合された突部同士をこれが分離しないように固定すると両部材が伸長状態で固定されるようにしたものである。
【００１１】
本発明の車椅子運搬具の他の一つは、突き合された突部同士に被せてこれら突部同士が分離しないように固定可能な固定具を備えたものである。
【００１２】
本発明の車椅子運搬具の他の一つは、連結棒を他端同士が回動可能に連結された一組の短尺部材から構成し、一方の部材の端部にバックルを設け、他方の部材の端部に前記バックルが係止可能な係止受部を設け、一方又は双方の部材を回動させて両部材を一直線状に伸長させ、一方の部材のバックルを他方の部材の係止受部に係止固定すると、両部材が伸長状態で固定されるようにしたものである。
【００１３】
本発明の車椅子運搬具の他の一つは、係止体に係止具が車輪に係止された車椅子の背凭れフレームに係合・係合解除可能な係合具を設けたものである。
【００１４】
【発明の実施の形態】
（実施形態１）
本発明の車椅子運搬具の一実施例を図１〜図１０に基づいて詳細に説明する。この車椅子運搬具は、図１に示すように、矩形枠状の担ぎ体１に係止具２を備えた係止体３を設け、係止具２を車椅子Ａの車輪Ｂに係止させて該車椅子Ａを図９に示すようにして運搬可能としたものである。
【００１５】
図１に示す担ぎ体１は、間隔をあけて平行に配置した２本の担ぎ棒４の端部同士を連結棒５によって連結して矩形枠状に形成してある。夫々の連結棒５は、図２に示すように、金属製の角パイプからなる２本の短尺部材５ａ、５ｂから構成され、一方の短尺部材５ａの一端６は一方の担ぎ棒４の端部に突設されたコ字形のブラケット７にボルト８及びナット９によって回動可能に取り付けられ、他方の短尺部材５ｂの一端６は他方の担ぎ棒４の端部に突設された同じくコ字形のブラケット７にボルト８及びナット９によって回動可能に取り付けられている。さらに、両短尺部材５ａ、５ｂの他端１０同士は兆番１１によって回動可能に連結されている。加えて、一方の短尺部材５ａの側面（兆番１１が取り付けられている側面とは反対側の側面）にはバックル１２が設けられ、他方の短尺部材５ｂの側面にはバックル１２が係止可能な鉤状の係止受部１３が設けられており、両部材５ａ、５ｂを図１に示すように一直線状に伸長させてから矩形枠状のバックル１２を係止受部１３に係止させてからレバー８０を図中の矢印方向へ倒すと、係止受部１３が固定され、両部材５ａ、５ｂが伸長状態で固定される（図１参照）。一方、レバー８０を前記とは逆方向へ回動させると、バックル１２と係止受部１３との固定が解除される。従って、連結棒５が図１に示すような伸長状態にある場合に、バックル１２を外し、両担ぎ棒４の双方又は一方に図中の矢印方向の力を加えると、図３に示すように、夫々の連結棒５が長手方向途中（兆番１２によって連結された端尺部材５ａ、５ｂの連結部）から屈曲し、図４に示すように担ぎ棒４同士が平行に近接するように折り畳まれる。。
【００１６】
図１に示す両担ぎ棒４は、金属製の角パイプからなる２本の長尺部材４ａ、４ｂから構成され、互いの部材４ａ、４ｂの端部同士は連結ボルト１４によって回動可能に連結されている。具体的には図５に示すように、夫々の部材４ａ、４ｂの下面に突設されたプレート１５に開設されている通孔１６同士を連通させ、連通した通孔１６に連結ボルト１４を貫通させ、貫通した連結ボルト１４にナット１７を螺合して抜け止めをしてある。従って、担ぎ棒４が図４に示すような伸長状態にある場合に、長尺部材４ａ及び４ｂの双方又は一方を前記連結ボルト１４を回転軸として図中の矢印方向へ回動させると、図６に示すように、夫々の担ぎ棒４がその長手方向途中（連結ボルト１４によって連結された長尺部材４ａ、４ｂの連結部）から屈曲して夫々の担ぎ棒４の一端が他端の近接し、長尺部材４ａ、４ｂが上下に重なるように折り畳まれる。
【００１７】
さらに、図５に示すように、長尺部材４ａ、４ｂの連結側端部の上面には角棒状の突部１８が突設されている。これら突部１８は、長尺部材４ａ、４ｂを前記とは逆に回動させて図１に示すような伸長状態とすると、図４に示すように突き合される。従って、突き合された両突部１８に図５に示す下方開口の角筒状の固定具１９を被せると（図１参照）、両突部１８同士が分離不可能となり、長尺部材４ａ、４ｂは伸長状態で固定される。尚、固定具１９の上面には車椅子Ａの運搬時に、該車椅子Ａに座っている人Ｃが掴む丸棒状のハンドル２０が一体に突設されている。
【００１８】
図１に示す係止体３は、図５に示すように、一端が長尺部材４ａの連結側端部の内側面にボルト２７、ワッシャー２８、ナット２９によって回動可能に取り付けられた断面矩形の金属製横材２１と、その横材２１から鉛直上方に延在する断面矩形の金属製縦材２２とから構成されている。前記横材２１の下面には車椅子Ａの車輪Ｂに係止可能な係止具２が設けられ、前記縦材２２の上端に車椅子Ａの背凭れフレームＤに係合可能な係合具２３が設けられている。係止具２は、図５に示すように、車椅子Ａの車輪（リム）Ｂの内側に掛け回し可能なるように前記横材２１に回動可能に取り付けられた金属製の板材３０の先端を折り曲げて係止爪３１を形成したものであり、図７に示すように、板材３０を車輪Ｂにその内側から外側に向けて掛け回した後に係止爪３１を縦材２２に設けられている矩形枠状のバックル３３に係止させてからレバー８１を図中の矢印方向へ倒すと係止具２が固定され、車輪Ｂが係止体３に固定される。一方、レバー８１を前記とは逆方向へ回動させると、係止具２の固定が解除され、車輪Ｂを係止体３から離脱可能となる。尚、係止体３の取り付け位置は長尺部材４ａの長手方向に段階的に変更可能としてある。
【００１９】
前記係合具２３は、略コ字形の形状を有し、図５中の矢印方向に回動可能としてある。この係合具２３は、図８に示すように、図中の矢印方向へ回動させると、車輪Ｂが係止体３に固定された車椅子Ａの背凭れフレームＤにこれを前後から挟み込むように係合し、前記とは逆方向へ回動させると係合を解除して元の位置に復帰する。
【００２０】
（使用例１）
以上の構造を備える本発明の車椅子運搬具を使用して人が座っている車椅子を運搬するには例えば次のようにする。まず、前記係止体３に設けられている係止具２を車椅子Ａの車輪Ｂに係止固定する（図７参照）。次に、前記係合具２３を回動させて車椅子Ａの背凭れフレームＤに係合させる（図８参照）。次に、２人の運搬者で担ぎ棒４の両端に突設されているグリップ５０を持って担ぎ体１を持ち上げる（図９参照）。以上により、車椅子Ａが担ぎ体１に吊り下げられて持ち上げられる。尚、係止体３は担ぎ棒４に回動可能に取り付けられているので、図９に示すように担ぎ体１が傾いても車椅子Ａは常に水平に保たれる。尚、運搬中、車椅子Ａに座っている人Ｃは固定具１９から突設されているハンドル２０を掴むことができ、これによって身体を安定させることができる。さらに、図１０に示すように、グリップ５０に肩掛けベルト５１を装着し、そのベルト５１を運搬者の肩に掛けて担ぎ体１を持ち上げれば、運搬者の体力的負担が軽減されると共に、誤って担ぎ体１を落す危険も回避される。この肩掛けベルト５１はグリップ５０に固定でも、着脱可能でもよい。以上のようにして車椅子Ａを運搬した後は、担ぎ棒４及び連結棒５を図６に示すように折り畳んで収納しておく。もっとも、収納スペースの寸法や形状によっては、図４に示すように折り畳んで（連結棒５のみ折り畳んで）収納してもよい。
【００２１】
（実施形態２）
本発明の車椅子運搬具の他の実施例を図１１に示す。図１１に示す車椅子運搬具の基本構成は実施形態１に示す車椅子運搬具のそれと同一である。異なるのは、担ぎ体１を構成する担ぎ棒を１本の長尺部材によって構成したことである。もっとも連結棒の構造は実施形態１に示すそれと同一なので、図６に示すように折り畳むことはできないが、図４に示す状態に折り畳むことは可能である。図１１に示す車椅子運搬具は、コンパクト化といった観点では実施形態１に示す車椅子運搬具に劣るが、部品点数が少ないため生産が容易で、低コストであるといった利点を有する。さらに、図示は省略するが連結棒をも１本の短尺部材から構成し、担ぎ体を折り畳み式でなくすれば、より生産が容易であり、コストも低くなる。
【００２２】
【発明の効果】
本発明の車椅子運搬具は次のような効果を有する。
１．担ぎ体をコンパクトに折り畳むことができるので、収納や携帯に便利である。
２．複雑、高価な装置を用いなくても人力で手軽に車椅子を運搬することができる。
３．車椅子に係止固定される係止体が回動可能なので、車椅子を常に水平に保ちながら運搬することができ、車椅子に座っている人を安全に運搬でき、不安感を与えることもない。
【図面の簡単な説明】
【図１】本発明の車椅子運搬具の一実施例を示す斜視図。
【図２】連結棒の構造を示す一部省略の分解斜視図。
【図３】連結棒が途中まで屈曲した状態を示す斜視図。
【図４】連結棒が完全に屈曲した状態を示す斜視図。
【図５】係止体の構造を示す一部省略の分解斜視図。
【図６】連結棒及び担ぎ棒を完全に折り畳んだ状態を示す斜視図。
【図７】係止具の車椅子への係止状態を示す説明図。
【図８】係合具の背凭れフレームへの係合状態を示す説明図。
【図９】本発明の車椅子運搬具の一使用例を示す説明図。
【図１０】担ぎ体に肩掛けベルトを装着した状態を示す斜視図。
【図１１】本発明の車椅子運搬具の他の実施例を示す斜視図。
【符号の説明】
１  担ぎ体
２  係止具
３  係止体
４  担ぎ棒
４ａ    長尺部材
４ｂ    長尺部材
５  連結棒
５ａ    短尺部材
５ｂ    短尺部材
１２  バックル
１３  係止受部
１８  突部
１９  固定具
【図１】
2004215733.tif 000003
【図２】
2004215733.tif 000004
【図３】
2004215733.tif 000005
【図４】
2004215733.tif 000006
【図５】
2004215733.tif 000007
【図６】
2004215733.tif 000008
【図７】
2004215733.tif 000009
【図８】
2004215733.tif 000010
【図９】
2004215733.tif 000011
【図１０】
2004215733.tif 000012
【図１１】
2004215733.tif 000013